(57)【要約】      （修正有）【課題】撮像装置において、現状備えている機能は維持したまま、同等のサイズで新たな機能を付加出来る撮像装置の鏡筒内におけるＦＰＣの配置方法を提供する。【解決手段】光学ユニットを構成する光軸方向に平行移動可能に配される複数の可動光学部材２１、２２と、可動光学部材２１、２２の動作を制御する制御ユニットとを電気的に接続するＦＰＣ２３は、制御ユニットとの接続部から固定鏡筒に対して固定可能に延伸した延伸部３２、４２、固定鏡筒に固定した固定部と、固定部から延伸し、ループ状に屈曲反転してその先端に先端部３５、４５を備える屈曲反転部３４、４４とを備え、先端部３５、４５を光学ユニットを構成する可動光学部材２１，２２と接続する配線とする。【選択図】図２
2009282328.tif 000002
【特許請求の範囲】
【請求項１】
光学ユニットを構成する光軸方向に平行移動可能に配される複数の可動光学部材と、当該可動光学部材の動作を制御する制御ユニットとを電気的に接続するフレキシブルプリント配線板の撮像装置の鏡筒内における配置方法であって、
当該フレキシブルプリント配線板は、第１配線部と第２配線部とを備え、
前記第１配線部は、前記制御ユニットとの接続部から固定鏡筒に対して固定可能に延伸した第１延伸部、固定鏡筒に固定した第１固定部と、当該第１固定部から被写体側に延伸し、ループ状に屈曲反転してその先端に第１先端部を備える第１屈曲反転部とを備え、当該第１先端部を前記光学ユニットを構成する第１の可動光学部材と接続する配線であり、
前記第２配線部は、前記制御ユニットとの接続部から固定鏡筒に対して固定可能に延伸した第２延伸部、固定鏡筒に固定した第２固定部と、当該第２固定部から結像側に延伸し、ループ状に屈曲反転してその先端に第２先端部を備える第２屈曲反転部とを備え、当該第２先端部を前記光学ユニットを構成する第２の可動光学部材と接続する配線であることを特徴とする撮像装置の鏡筒内におけるフレキシブルプリント配線板の配置方法。
【請求項２】
前記光学ユニットが被写体側に第１レンズ枠を備え、前記第１の可動光学部材と当該第１レンズ枠とが最も近接したときの前記第１屈曲反転部は、当該第１レンズ枠と前記固定鏡筒との間に備える第１空間に収納する請求項１に記載の撮像装置の鏡筒内におけるフレキシブルプリント配線板の配置方法。
【請求項３】
前記光学ユニットが結像側に第２レンズ枠を備え、前記第２の可動光学部材と当該第２レンズ枠とが最も近接したときの前記第２屈曲反転部は、当該第２レンズ枠と前記固定鏡筒との間に備える第２空間に収納する請求項１または請求項２に記載の撮像装置の鏡筒内におけるフレキシブルプリント配線板の配置方法。
【請求項４】
前記第１固定部は、前記第１先端部の移動可能範囲よりも被写体側に配置する請求項１〜請求項３のいずれかに記載の撮像装置の鏡筒内におけるフレキシブルプリント配線板の配置方法。
【請求項５】
前記第２固定部は、前記第２先端部の移動可能範囲よりも結像側に配置する請求項１〜請求項４のいずれかに記載の撮像装置の鏡筒内におけるフレキシブルプリント配線板の配置方法。
【請求項６】
前記第１先端部は、前記第１の可動光学部材が被写体側に備える端子と接続し、前記第２先端部は、前記第２の可動光学部材が結像側に備える端子と接続する請求項１〜請求項５のいずれかに記載の撮像装置の鏡筒内におけるフレキシブルプリント配線板の配置方法。
【請求項７】
前記第１固定部と前記第２固定部とは当該固定鏡筒の外側に配置する請求項１〜請求項６のいずれかに記載の撮像装置の鏡筒内におけるフレキシブルプリント配線板の配置方法。
【請求項８】
請求項１〜請求項７のいずれかに記載の撮像装置の鏡筒内におけるフレキシブルプリント配線板の配置方法を用いてフレキシブルプリント配線板を配置したことを特徴とする撮像装置。
【発明の詳細な説明】
【技術分野】
【０００１】
本件発明は、撮像装置の鏡筒内におけるフレキシブルプリント配線板の配置方法及びそのフレキシブルプリント配線板の配置方法を備えるフレキシブルプリント配線板を用いた撮像装置に関する。
【背景技術】
【０００２】
画像を記録するために用いる撮像装置では、光学系を最適に調整して被写体をフィルム上や撮像素子上に結像させている。そのため、ＬＳＩを用いた電子制御によってオートフォーカス、自動絞り、さらには光学ズームや手ぶれ補正などの機能を得ている機種も多い。そして、沈胴式を採用したズームレンズでは、固定鏡筒内の移動鏡筒をスライド移動させてズーム効果を得ており、オートフォーカス機能はもとより、手ぶれ補正機能を備えるものもある。一方、ビデオカメラ、コンパクトデジタルカメラや携帯電話に付属しているデジタルカメラでは、光学系を収納する鏡筒がビデオカメラ本体又は携帯電話本体を構成するフレームの一部となっており、外部からは見ることが出来ない構造となっている。そして、光学ズーム機能を備える機種では、固定レンズの中間に移動可能なレンズを配置し、このレンズの位置を変えてズーム効果を得るのが一般的である。
【０００３】
また、デジタルカメラは、携帯電話の標準装備品となった感があるが、そのため、小型化と高性能化とに拍車がかかっている。そして、前述のように、携帯電話においては、ＬＳＩを用いたデジタル制御が各種機能の制御に用いられる。即ち、携帯電話が備えるデジタルカメラには、ＬＳＩを用いてデジタル制御されたオートフォーカス機能、ズーム機能や手ぶれ補正機能等が付加されてきた。これらの機能を果たすため、これらデジタルカメラは鏡筒内にレンズの移動手段を備え、検出した画像情報等に基づいてレンズの移動を制御して最適な画像を撮影している。そして、最近の高画素化、高機能化の要求に伴い、シャッタ機能も求められる。即ち、ズーム機能を備える場合には、移動レンズとシャッタとが一緒に移動する。従って、シャッタを電気的に操作するための配線には可撓性が要求されるため、配線を形成する基板材料にフレキシブル銅張積層板（Ｆｒｅｘｉｂｌｅ  Ｃｏｐｐｅｒ  Ｃｌａｄ  Ｌａｍｉｎａｔｅ：以下、「ＦＣＣＬ」と称する。）を用いた、フレキシブルプリント配線板（Ｆｒｅｘｉｂｌｅ  Ｐｒｉｎｔｅｄ  Ｃｉｒｃｕｉｔ    Ｂｏａｒｄ：以下、「ＦＰＣ」と称する。）を使用するのが一般的である。
【０００４】
そして、特許文献１には、沈胴式のズームレンズにＦＰＣを用いた技術が開示されている。具体的には、小型・高撮影倍率のレンズ鏡筒を実現するために、多段鏡筒内に配置するＦＰＣを複雑な形状のものを必要とせず、且つ、内部部品への干渉の少ない配設構造にすることを目的として、マウント筒と一体的な外筒の内径側に固定された第１案内筒の内径側に、第２案内筒が該第１案内筒に対し光軸方向に移動可能に支持され、該第２案内筒の内径側にレンズ群及び電磁絞り装置を保持する移動枠が該第２案内筒に対し光軸方向に移動可能に支持された多段繰出しレンズ鏡筒において、該第２案内筒に電気回路基板をその周方向に固定し、該電気回路基板に一端を接続した第１及び第２ＦＰＣの他端を径方向に異なる向きにＵターン部を持ってそれぞれ該マウント筒の電気接点及び該移動枠の電気部品に接続している。
【０００５】
また、特許文献２には、ハウジング内で移動するシャッタユニットに電気接続するためのＦＰＣを有する撮像モジュールの小型化を実現することを目的として、ハウジング部内に組み込んだ光軸方向に移動するレンズと一体にシャッタユニットを有し、シャッタユニットに電気接続したフレキシブル回路基板のリボン部をシャッタユニットの後側に沿って光軸方向に湾曲した状態で延設して外部に電気接続する技術が開示されている。そして、この構造を取ることにより、シャッタユニットを光軸方向に移動させたときに、リボン部は曲率がほぼ一定で折り曲げられないのでリボン部を変形する力は少なく、シャッタユニットを移動させる駆動モータの負荷を小さくし、小型のモータが使用でき低消費電力になり、また、リボン部の変形を行うためにハウジング部内に凹部空間を確保する必要が無く、ハウジングの外形寸法を小型化出来るとしている。
【０００６】
【特許文献１】特開平１１−３３７７９７号公報
【特許文献２】特開２００７−３３６９９号公報
【発明の開示】
【発明が解決しようとする課題】
【０００７】
しかし、特許文献１に開示の方式は、第２案内筒と第１案内筒との間にＦＰＣを差し込み、第１案内筒と移動枠とを光軸方向に移動可能に支持するためには、第２案内筒と第１案内筒との間、及び、第２案内筒と移動枠との間に余裕を持った設計が必要である。従って、小型化すると、第２案内筒や移動枠が移動すると筒の内壁とＦＰＣとの接触部分で擦れが発生することが問題となる。そして、擦れが生ずると、ＦＰＣのカバーレイが破損してトラッキングが発生したり、配線に亀裂が入る場合があり、オートフォーカス機能や絞り調整の異常となって現れてしまう。また、ＦＰＣの占有空間が大きく、撮像するための光路を妨害しない配置とするためには、小型化に限界があるＦＰＣの配置方法である。
【０００８】
そして、特許文献２に開示の技術では、図３（ａ）に示すように、配置するＦＰＣ２３の長さは、シャッタを抱えた移動鏡枠が移動する範囲の長さ相当分を延伸させて、大きなたわみを形成した状態で固定している。そして、移動鏡枠の移動時に該ＦＰＣ２３は、図３（ｂ）と図３（ｃ）との比較からわかるように、移動鏡枠と固定鏡筒間のスペースでたわみ量が変化した状態で収納される。しかし、図３（ｂ）と図３（ｃ）から明らかなように、ＦＰＣ２３は、その一部が常にフレームの一部と接触した状態でたわみ量を変化させている。従って、移動鏡枠の動作がスムーズさを欠いたり振動が与えられると、特許文献１と同様に、擦れによる異常発生の危険性をはらんでいる。また、移動鏡枠が前進している状態である図３（ｂ）では湾曲したＦＰＣ２３と壁面との間に余裕があるため、ＦＰＣ２３とフレームとの接触を心配する必要は無い。これに対し、最も移動鏡枠が後退した場合である図３（ｃ）においてもＦＰＣ２３とフレームとが接触しないように、当該スペースには余裕が必要である。即ち、カメラの設計に際しては、当該空間を必要悪として盛り込んだ光軸長さの光学系とすることになり、小型化に対する障害となってしまう。更に、前記構造では、手ぶれ補正機能、絞り調節機能等に対応する部品を付加すると、ＦＰＣには各部品と接続する端子部分をそれぞれ形成する必要があり、ＦＰＣの外形が複雑になってしまう。その結果、ＦＣＣＬからの板取効率が悪化し、廃棄物量が増加し、資源の無駄遣いとなる。
【０００９】
即ち、鏡筒内に光学部品を移動可能に配置した撮像装置において、現状備えている機能は維持したまま、同等のサイズで新たな機能を付加出来るＦＰＣの配置方法に対する要求があった。
【課題を解決するための手段】
【００１０】
そこで、本件発明者は、上記課題を解決するため、鋭意研究の結果、以下に示す撮像装置の鏡筒内におけるＦＰＣの配置方法とそのＦＰＣの配置方法を採用した撮像装置に想到し、上記課題を解決するに至った。
【００１１】
本件発明に係る撮像装置の鏡筒内におけるＦＰＣの配置方法：  本件発明に係る撮像装置の鏡筒内におけるＦＰＣの配置方法は、光学ユニットを構成する光軸方向に平行移動可能に配される複数の可動光学部材と、当該可動光学部材の動作を制御する制御ユニットとを電気的に接続するＦＰＣの撮像装置の鏡筒内における配置方法であって、当該ＦＰＣは、第１配線部と第２配線部とを備え、前記第１配線部は、前記制御ユニットとの接続部から固定鏡筒に対して固定可能に延伸した第１延伸部、固定鏡筒に固定した第１固定部と、当該第１固定部から被写体側に延伸し、ループ状に屈曲反転してその先端に第１先端部を備える第１屈曲反転部とを備え、当該第１先端部を前記光学ユニットを構成する第１の可動光学部材と接続する配線であり、前記第２配線部は、前記制御ユニットとの接続部から固定鏡筒に対して固定可能に延伸した第２延伸部、固定鏡筒に固定した第２固定部と、当該第２固定部から結像側に延伸し、ループ状に屈曲反転してその先端に第２先端部を備える第２屈曲反転部とを備え、当該第２先端部を前記光学ユニットを構成する第２の可動光学部材と接続する配線であることを特徴としている。
【００１２】
本件発明に係る撮像装置の鏡筒内におけるＦＰＣの配置方法においては、前記光学ユニットが被写体側に第１レンズ枠を備え、前記第１の可動光学部材と当該第１レンズ枠とが最も近接したときの前記第１屈曲反転部は、当該第１レンズ枠と前記固定鏡筒との間に備える第１空間に収納することも好ましい。
【００１３】
本件発明に係る撮像装置の鏡筒内におけるＦＰＣの配置方法においては、前記光学ユニットが結像側に第２レンズ枠を備え、前記第２の可動光学部材と当該第２レンズ枠とが最も近接したときの前記第２屈曲反転部は、当該第２レンズ枠と前記固定鏡筒との間に備える第２空間に収納することも好ましい。
【００１４】
本件発明に係る撮像装置の鏡筒内におけるＦＰＣの配置方法においては、前記第１固定部は、前記第１先端部の移動可能範囲よりも被写体側に配置することも好ましい。
【００１５】
本件発明に係る撮像装置の鏡筒内におけるＦＰＣの配置方法においては、前記第２固定部は、前記第２先端部の移動可能範囲よりも結像側に配置することも好ましい。
【００１６】
本件発明に係る撮像装置の鏡筒内におけるＦＰＣの配置方法においては、前記第１先端部は、前記第１の可動光学部材が被写体側に備える端子と接続し、前記第２先端部は、前記第２の可動光学部材が結像側に備える端子と接続することも好ましい。
【００１７】
本件発明に係る撮像装置の鏡筒内におけるＦＰＣの配置方法においては、前記第１固定部と前記第２固定部とは当該固定鏡筒の外側に配置することも好ましい。
【００１８】
本件発明に係る撮像装置：    本件発明に係る撮像装置は、前記撮像装置の鏡筒内におけるＦＰＣの配置方法を用いてＦＰＣを配置したことを特徴としている。
【発明の効果】
【００１９】
本件発明に係る撮像装置の鏡筒内におけるＦＰＣの配置方法は、光学ユニットを構成する光軸方向に平行移動可能に配される複数の可動光学部材と、当該可動光学部材の動作を制御する制御ユニットとを電気的に接続するＦＰＣの撮像装置の鏡筒内における配置方法であって、当該ＦＰＣは、第１配線部と第２配線部とを備え、前記第１配線部は、前記制御ユニットとの接続部から固定鏡筒に対して固定可能に延伸した第１延伸部、固定鏡筒に固定した第１固定部と、当該第１固定部から被写体側に延伸し、ループ状に屈曲反転してその先端に第１先端部を備える第１屈曲反転部とを備え、当該第１先端部を前記光学ユニットを構成する第１の可動光学部材と接続する配線であり、前記第２配線部は、前記制御ユニットとの接続部から固定鏡筒に対して固定可能に延伸した第２延伸部、固定鏡筒に固定した第２固定部と、当該第２固定部から結像側に延伸し、ループ状に屈曲反転してその先端に第２先端部を備える第２屈曲反転部とを備え、当該第２先端部を前記光学ユニットを構成する第２の可動光学部材と接続する配線である。この配置方法を備えるＦＰＣを用いれば、シャッタ駆動用アクチュエータやアイリス駆動用アクチュエータなどの光学ユニットを固定鏡筒内に配置し、光学部材の移動範囲を広くしても配線の占有空間を小さくして、配線と鏡筒の内壁との擦れを防止することが可能になる。その結果、長期に亘って使用可能な撮像装置の提供が可能になる。また、各光学部材の移動がスムーズになって、画像の調節機能が向上する。
【発明を実施するための最良の形態】
【００２０】
以下、図１を参照しつつ本件発明に係る撮像装置の鏡筒内におけるＦＰＣの配置方法を説明する。
【００２１】
本件発明に係る撮像装置の鏡筒内におけるＦＰＣの配置方法：  本件発明に係る撮像装置の鏡筒内におけるＦＰＣの配置方法は、光学ユニットを構成する光軸方向に平行移動可能に配される複数の可動光学部材と、当該可動光学部材の動作を制御する制御ユニットとを電気的に接続するＦＰＣの撮像装置の鏡筒内における配置方法であって、図１に示すように、当該ＦＰＣ２３は、第１配線部３１と第２配線部４１とを備え、当該第１配線部３１は、前記制御ユニット２０との接続部から固定鏡筒１０に対して固定可能に延伸した第１延伸部３２、固定鏡筒１０に固定した第１固定部３３と、当該第１固定部３３から被写体側に延伸し、ループ状に屈曲反転してその先端に第１先端部３５を備える第１屈曲反転部３４とを備え、当該第１先端部３５を前記光学ユニットを構成する第１の可動光学部材２１と接続する配線であり、当該第２配線部４１は、前記制御ユニット２０との接続部から固定鏡筒１０に対して固定可能に延伸した第２延伸部４２、固定鏡筒１０に固定した第２固定部４３と、当該第２固定部４３から結像側に延伸し、ループ状に屈曲反転してその先端に第２先端部４５を備える第２屈曲反転部４４とを備え、当該第２先端部４５を前記光学ユニットを構成する第２の可動光学部材と接続する配線である。
【００２２】
上記本件発明に係る光学ユニットとは、撮像装置の鏡筒内に固定または移動可能に配置した、レンズ群、シャッタ、絞りなどの光学部材で構成されるユニットである。そして、上述の様に、当該光学ユニットを構成する可動光学部材の近傍に屈曲反転部を形成した配線部を介して制御ユニットと当該可動光学部材とを接続すれば、可動光学部材を移動可能にするために必要な屈曲反転部の長さは短くて済む。即ち、屈曲反転部が形成するループ径が小さくなって、光学系に影響することが無い。また、それぞれの配線部を重複させて配置することも可能であり、独立して引き回すことが出来るため、配置の自由度が大きなＦＰＣの配置方法である。この様な配置とすれば、鏡筒内に配置する配線部は、第１配線部３１と第２配線部４１の２つに限定する必要は無く、更に、第３配線部、第４配線部を配置することも出来る。そして、ＦＰＣの設計の自由度が大きいため、ＦＣＣＬを用いてＦＰＣを製造する際の板取効率も良好となる。
【００２３】
そして、第１屈曲反転部３４は、第１固定部３３よりも被写体側に配置し、第２屈曲反転部４４は、第２固定部４３よりも結像側に配置する。この配置は、図１からも明らかなように、最も長尺のＦＰＣ２３を必要とする配置である。一方、この配置構造であれば、屈曲反転部が形成するループ形状は、光学部材の移動に連動して安定した変化を示す。そこで、屈曲反転部の形状を重視する本件発明に係る撮像装置の鏡筒内におけるＦＰＣの配置方法においては、第１屈曲反転部３４は、第１固定部３３よりも被写体側に配置し、第２屈曲反転部４４は、第２固定部４３よりも結像側に配置する。
【００２４】
そして図２には、当該ＦＰＣ２３の配置の理解を容易にするために、固定鏡筒１０の被写体側に第１の可動光学部材（２１：シャッタ駆動用アクチュエータ）を、結像側に第２の可動光学部材（２２：アイリス駆動用アクチュエータ）を近接した状態で配置した場合を例示している。この図２に示す配置では、制御ユニット２０に接続した延伸部は、第１配線部３１と第２配線部４１とに共通する配線を集約した配線を含む基幹配線部として一旦固定鏡筒１０の外側に延出し、固定鏡筒１０の外壁面に沿って光軸を囲むように延伸している。そして、基幹配線部からＴ字型に分岐した一方の第１配線部３１は、固定鏡筒１０の外壁面を光軸に平行な方向に第１固定部３３まで延伸し、第１固定部３３から被写体側に延伸して第１先端部３５に至るループ状の第１屈曲反転部３４を形成し、第１先端部は第１の可動光学部材２１の入力端子（図示せず）と接続している。そして、基幹配線からＴ字型に分岐した他方の第２配線部４１も第１配線部３１と同様の配置としている。上記例示のように、制御ユニット２０と接続した延伸部を独立した配線部とはせず、共通使用出来る配線、例えば電源ラインなどは基幹配線部を設けて共用し、その後分岐して延伸部とする形態を採用すれば、ＦＰＣ２３の製造に必要なＦＣＣＬを節約出来る。また、制御ユニットと接続した延伸部の厚さが薄く、且つ、均一になるため、省スペース設計に対しても好ましい形態である。
【００２５】
本件発明に係る撮像装置の鏡筒内におけるＦＰＣの配置方法においては、前記光学ユニットが被写体側に第１レンズ枠１１を備え、前記第１の可動光学部材２１と当該第１レンズ枠１１とが最も近接したときの前記第１屈曲反転部３４は、当該第１レンズ枠１１と前記固定鏡筒１０との間に備える第１空間１３に収納する。
【００２６】
また、本件発明に係る撮像装置の鏡筒内におけるＦＰＣの配置方法においては、前記光学ユニットが結像側に第２レンズ枠１２を備え、前記第２の可動光学部材２２と当該第２レンズ枠１２とが最も近接したときの前記第２屈曲反転部４４は、当該第２レンズ枠１２と前記固定鏡筒１０との間に備える第２空間１４に収納する。上記第１空間１３と第２空間１４とはほぼ同様の考え方に基づき形成するものであるため、以下、第１配線部３１側についてのみ詳細に説明し、第２配線部４１に関する詳細な説明は省略する。
【００２７】
第１の可動光学部材２１の機能を最大限に発揮させるためには、第１の可動光学部材２１の移動範囲を最大にすることが好ましい。そして、第１の可動光学部材２１が第１レンズ枠１１に近接する場合がある。このとき、第１レンズ枠１１を移動可能にするために固定鏡筒１０との間に設けてある隙間は狭く、第１屈曲反転部を収納することは出来ない。従って、第１固定部３３と第１先端部３５との間にループ状に形成した第１屈曲反転部３４は、第１レンズ枠１１と接触して変形する。即ち、第１屈曲反転部と第１レンズ枠との接触を防止するためには、第１先端部３５と第１レンズ枠１１とは、第１屈曲反転部３４を変形させない位置に止まるように、その移動範囲を制御することになる。その結果、第１の可動光学部材や第１レンズ枠の移動範囲は制約を受けてしまう。しかし、本件発明では、第１レンズ枠１１と固定鏡筒１０との間に第１空間１３を設けて第１屈曲反転部３４を収納するため、第１の可動光学部材２１と第１レンズ枠１１との最接近が可能である。また、第１屈曲反転部３４を第１空間１３に収納すると、第１屈曲反転部３４が被写体を撮影するために必要な光路を遮ることが無く、画像の品質に影響を与えることも無い。そして、第３の光学部材や第４の光学部材を移動可能に配置した場合にも、同様の設計が可能である。
【００２８】
本件発明に係る撮像装置の鏡筒内におけるＦＰＣの配置方法においては、前記第１固定部３３は、前記第１先端部３５の移動可能範囲よりも被写体側に配置する。
【００２９】
また、本件発明に係る撮像装置の鏡筒内におけるＦＰＣの配置方法においては、前記第２固定部４３は、前記第２先端部４５の移動可能範囲よりも結像側に配置する。上記第１固定部３３と第２固定部４３とはほぼ同様の考え方に基づき形成するものであるため、以下、第１配線部３１側についてのみ詳細に説明し、第２配線部４１に関する詳細な説明は省略する。
【００３０】
上記の様に、第１固定部３３を第１先端部３５の移動可能範囲の被写体側の端部よりも被写体側に配置すれば、第１屈曲反転部３４の片端部である第１固定部３３と他端部である第１先端部３５とが接触することが無い。一方、第１先端部３５が移動可能範囲の結像側の端部まで移動したときに、第１屈曲反転部３４が形成するループの半径が最小になる。従って、本件発明では、第１屈曲反転部３４の長さは、第１固定部３３の位置を考慮したうえで第１先端部３５の移動可能範囲長さよりも長くし、ＦＰＣ２３に引張応力が加わったり、折り曲げ角度が１８０度とならないように設計する。
【００３１】
上述のように、第１屈曲反転部３４の長さによらず、第１先端部３５が移動可能範囲の結像側の端部まで移動したときに、第１屈曲反転部３４が形成するループの半径が最小になる。ところが、ＦＰＣ２３の折り曲げ角度が１８０度とはなっていなくても、ループ径が小さい場合には、操作中の振動などに起因して第１屈曲反転部３４のＦＰＣ２３が断線する場合がある。この様に予測不能な断線を防止するためには、ＦＣＣＬの耐屈曲性を加味したうえで第１屈曲反転部３４の長さを設計することが好ましい。しかしながら、断線の防止を目的としてループ径を大きくしすぎると第１屈曲反転部３４の占有空間が広くなる。従って、本件発明に係る撮像装置の鏡筒内におけるＦＰＣの配置方法においては、上記屈曲反転部を収納する空間の配置と同時に、屈曲反転部のループ長さも、長期に亘って信頼性を確保するためには重要な設計要素である。
【００３２】
本件発明に係る撮像装置の鏡筒内におけるＦＰＣの配置方法においては、前記第１先端部３５は、前記第１の可動光学部材２１が被写体側に備える端子と接続し、前記第２先端部４５は、前記第２の可動光学部材２２が結像側に備える端子と接続する。この先端部と光学部材との接続位置に関しても、第１先端部３５と第２先端部４５とは同様の形態であるため、第１先端部３５についてのみ詳細に説明し、第２先端部４５に関する詳細な説明は省略する。
【００３３】
第１先端部３５は第１の可動光学部材２１が被写体側に備える端子と接続すれば、第１先端部が第１屈曲反転部３４のループと接触することが無く、固定鏡筒１０の内壁と接触することも無い。その結果、擦れに起因して発生する断線やマイグレーションを効果的に防止出来る。また、適正に形成された屈曲反転部のループは接続部分にかかる応力を緩衝する機能を果たすため、接続信頼性も向上する。反面、第１先端部３５を第１の可動光学部材２１と結像側で接続すると、前記第１屈曲反転部３４のループは、第１の可動光学部材２１の移動に伴い、第１の可動光学部材２１と接触しつつループ形状を変化させるため、擦れが発生する。また、半田接続等した場合には、接続部分の厚さにバラツキが発生する場合がある。従って、第１の可動光学部材２１の光軸と平行な面で接続し、接続部分の厚さにバラツキが大きいと、接続部分が固定鏡筒１０と接触し、第１の可動光学部材２１の移動に影響が出ることがあるため好ましくない。
【００３４】
本件発明に係る撮像装置の鏡筒内におけるＦＰＣの配置方法においては、前記第１固定部３３と前記第２固定部４３とは当該固定鏡筒１０の外側に配置する。引用文献１が開示しているように、ＦＰＣの基幹配線部等の可撓性を必要としない部分は、固定鏡筒などの壁面に沿って固定配置することが多い。しかし、固定鏡筒１０内に可動光学部材を配置した状態で、固定鏡筒１０の内壁面から延伸部などが浮き上がると、ＦＰＣが可動光学部材に接触して、シャッタ駆動用アクチュエータやアイリス駆動用アクチュエータの移動の障害になる。そこで、固定鏡筒１０の内側には、屈曲反転部のみを光学部材と接触しないように配置し、第１固定部３３と第２固定部４３とは固定鏡筒１０の外側に配置する。また、第１延伸部３２や第２延伸部４２についても同様に固定鏡筒１０の外側に配置することが好ましい。固定部分を固定鏡筒の外側に配置し、延伸部分も固定鏡筒の外側に配置してあれば、万一固定部分が浮き上がってしまっても、可動光学部材がＦＰＣと接触することが無く、可動光学部材の動きに影響を与えることが無い。また、浮き上がった部分の補修も容易である。
【００３５】
本件発明に係る撮像装置：  本件発明に係る撮像装置は、前記撮像装置の鏡筒内におけるＦＰＣの配置方法を用いてＦＰＣ２３を配置した撮像装置０１である。図１に示すように、本件発明に係る撮像装置０１は、光学ユニットを構成する光軸方向に平行移動可能に配される複数の可動光学部材（２１、２２）と、当該可動光学部材の動作を制御する制御ユニット２０とを電気的に接続する前記ＦＰＣ２３を備える撮像装置である。この様な、固定鏡筒を機器のフレーム内に内蔵する撮像装置としては、携帯電話が内蔵するデジタルカメラ、コンパクトデジタルカメラや、ビデオカメラなどがある。例えば、当該ＦＰＣの配置方法を携帯電話が内蔵するデジタルカメラに適用すれば、大きなコストアップや本体の大型化を招かずに、撮影画像の解析結果をズーミングや焦点深度調整等に反映させることが出来る。即ち、携帯電話でも、従来以上に鮮明な、意図した画像の記録が可能になる。そして、コンパクトデジタルカメラ等に適用すれば部品の配置空間に余裕が生まれる。そのため、本件発明に係る撮像装置は、小型でありながら、より多くの機能を備えたものである。
【産業上の利用可能性】
【００３６】
本件発明に係る撮像装置の鏡筒内におけるＦＰＣの配置方法は、光学ユニットを構成する光軸方向に平行移動可能に配される複数の可動光学部材と、当該可動光学部材の動作を制御する制御ユニットとを電気的に接続するＦＰＣの撮像装置の鏡筒内における配置方法であって、当該ＦＰＣは、第１配線部と第２配線部とを備え、前記第１配線部は、前記制御ユニットとの接続部から固定鏡筒に対して固定可能に延伸した第１延伸部、固定鏡筒に固定した第１固定部と、当該第１固定部から被写体側に延伸し、ループ状に屈曲反転してその先端に第１先端部を備える第１屈曲反転部とを備え、当該第１先端部を前記光学ユニットを構成する第１の可動光学部材と接続する配線であり、前記第２配線部は、前記制御ユニットとの接続部から固定鏡筒に対して固定可能に延伸した第２延伸部、固定鏡筒に固定した第２固定部と、当該第２固定部から結像側に延伸し、ループ状に屈曲反転してその先端に第２先端部を備える第２屈曲反転部とを備え、当該第２先端部を前記光学ユニットを構成する第２の可動光学部材と接続する配線である。この配置方法を備えるＦＰＣを用いれば、当該複数の可動光学部材の移動範囲を最大にしてもＦＰＣの占有空間を小さくして、ＦＰＣと鏡筒の内壁や光学部材との擦れを防止することが可能になる。その結果、長期に亘って使用可能な撮像装置の提供が可能になる。また、各光学部材の移動がスムーズになって、画像の調節機能が向上する。更に、光軸方向に移動可能に支持された光学部材の配置の自由度が大きいため、従来は一眼レフカメラ用の機能と考えられていた、ＮＤ装置や偏光装置などの追加も可能になる。
【図面の簡単な説明】
【００３７】
【図１】本件発明に係る撮像装置の鏡筒内におけるＦＰＣの配置方法を用いた撮像装置における部品配置を説明するための模式図である。
【図２】本件発明に係る撮像装置の鏡筒内におけるＦＰＣの配置方法の具体例を示す斜視模式図である。
【図３】特許文献２に開示のＦＰＣ配置と動作状況を示す模式図である。
【符号の説明】
【００３８】
０１      撮像装置
１０      固定鏡筒
１１      第１レンズ枠
１２      第２レンズ枠
１３      第１空間
１４      第２空間
２０      制御ユニット
２１      第１の可動光学部材
２２      第２の可動光学部材
２３      ＦＰＣ
３１      第１配線部
３２      第１延伸部
３３      第１固定部
３４      第１屈曲反転部
３５      第１先端部
４１      第２配線部
４２      第２延伸部
４３      第２固定部
４４      第２屈曲反転部
４５      第２先端部
【図１】
2009282328.tif 000003
【図２】
2009282328.tif 000004
【図３】
2009282328.tif 000005